【手続補正書】
【提出日】平成28年8月29日(2016.8.29)
【手続補正１】
【補正対象書類名】明細書
【補正対象項目名】００１２
【補正方法】変更
【補正の内容】
【００１２】
上記の目的を達成するため、本発明による光学機器は、画像から特定の被写体の領域を検出する第１の検出手段と、撮影者の眼をモニターして前記画像において目視されている位置を検出する第２の検出手段と、複数の撮影モードから撮影モードを選択するモード選択手段と、前記特定の被写体の領域および前記画像において目視されている位置の優先度に応じて、複数の焦点検出領域から焦点検出領域を選択する領域選択手段と、有し、前記特定の被写体の領域および前記画像において目視されている位置の優先度は、前記モード選択手段によって選択された前記撮影モードに応じて異なることを特徴とする。
【手続補正２】
【補正対象書類名】明細書
【補正対象項目名】００１３
【補正方法】変更
【補正の内容】
【００１３】
本発明による光学機器の制御方法は、画像から特定の被写体の領域を検出する第１の検出ステップと、撮影者の眼をモニターして前記画像において目視されている位置を検出する第２の検出ステップと、複数の撮影モードから撮影モードを選択するモード選択ステップと、前記特定の被写体の領域および前記画像において目視されている位置の優先度に応じて、複数の焦点検出領域から焦点検出領域を選択する領域選択ステップと、有し、前記特定の被写体の領域および前記画像において目視されている位置の優先度は、前記モード選択ステップで選択された前記撮影モードに応じて異なることを特徴とする。
【手続補正３】
【補正対象書類名】明細書
【補正対象項目名】００１４
【補正方法】変更
【補正の内容】
【００１４】
本発明による制御プログラムは、光学機器で用いられる制御プログラムであって、前記光学機器が備えるコンピュータに、画像から特定の被写体の領域を検出する第１の検出ステップと、撮影者の眼をモニターして前記画像において目視されている位置を検出する第２の検出ステップと、複数の撮影モードから撮影モードを選択するモード選択ステップと、前記特定の被写体の領域および前記画像において目視されている位置の優先度に応じて、複数の焦点検出領域から焦点検出領域を選択する領域選択ステップと、を実行させ、前記特定の被写体の領域および前記画像において目視されている位置の優先度は、前記モード選択ステップで選択された前記撮影モードに応じて異なることを特徴とする。
【手続補正４】
【補正対象書類名】明細書
【補正対象項目名】００１５
【補正方法】変更
【補正の内容】
【００１５】
本発明によれば、撮影者の意図に応じた焦点検出領域が選択されるようになって、焦点検出領域を選択する際の利便性を向上させることができる。
【手続補正５】
【補正対象書類名】特許請求の範囲
【補正対象項目名】全文
【補正方法】変更
【補正の内容】
【特許請求の範囲】
【請求項１】
画像から特定の被写体の領域を検出する第１の検出手段と、
撮影者の眼をモニターして前記画像おいて目視されている位置を検出する第２の検出手段と、
複数の撮影モードから撮影モードを選択するモード選択手段と、
前記特定の被写体の領域および前記画像において目視されている位置の優先度に応じて、複数の焦点検出領域から焦点検出領域を選択する領域選択手段と、有し、
前記特定の被写体の領域および前記画像おいて目視されている位置の優先度は、前記モード選択手段によって選択された前記撮影モードに応じて異なることを特徴とする光学機器。
【請求項２】
前記領域選択手段は、前記特定の被写体の領域と前記画像において目視されている位置が対応する場合に、前記特定の被写体の領域に基づいて、焦点検出領域を選択することを特徴とする請求項１に記載の光学機器。
【請求項３】
前記領域選択手段は、前記特定の被写体の領域と前記画像において目視されている位置が対応しない場合に、前記画像において目視されている位置に基づいて、焦点検出領域を選択することを特徴とする請求項１又は２に記載の光学機器。
【請求項４】
前記領域選択手段は、前記第１の検出手段によって検出された前記特定の被写体の領域に基づく第１の範囲に、前記第２の検出手段によって検出された画像において目視されている位置が含まれている場合、前記第１の範囲の中心付近に位置する焦点検出領域を選択することを特徴とする請求項１〜３のいずれか１項に記載の光学機器。
【請求項５】
前記優先度に応じて、前記第１の範囲を異ならせる変更手段を備え、
前記変更手段は、前記特定の被写体の領域の大きさに対して所定の比率の大きさとなるように前記第１の範囲を設定し、前記特定の被写体の領域の優先度が前記画像において目視されている位置の優先度よりも高い場合と比較して、前記画像において目視されている位置の優先度が前記特定の被写体の領域の優先度よりも高い場合の前記所定の比率を小さくすることを特徴とする請求項４に記載の光学機器。
【請求項６】
単写モードおよび連写モードのいずれかを設定する設定手段を有し、
前記変更手段は、前記単写モードが設定されている場合と比較して、前記連写モードが設定されている場合の前記所定の比率を大きくすることを特徴とする請求項５に記載の光学機器。
【請求項７】
撮影者が焦点検出領域を選択する操作を行うための操作部材と、
前記操作部材による前記焦点検出領域の選択範囲を規制する規制手段と、を有し、
前記特定の被写体の領域の優先度が前記操作部材の操作の優先度よりも高い場合、前記規制手段は、前記操作部材による前記焦点検出領域の選択範囲を前記第１の範囲に規制することを特徴とする請求項１〜６のいずれか１項に記載の光学機器。
【請求項８】
前記操作部材により前記焦点検出領域を変更する際、撮影者が当該焦点検出領域を識別できるように表示する表示制御手段を有することを特徴とする請求項７に記載の光学機器。
【請求項９】
前記特定の被写体の領域は顔の領域であることを特徴とする請求項１〜８のいずれか１項に記載の光学機器。
【請求項１０】
前記モード選択手段は、前記第１の検出手段と前記第２の検出手段の少なくともいずれかの検出結果の有無に応じて、前記撮影モードを変更することを特徴とする請求項１〜９のいずれか１項に記載の光学機器。
【請求項１１】
前記画像において目視されている位置よりも前記特定の被写体の領域の優先度が高い第１の撮影モードにおいて、前記第１の検出手段によって前記特定の被写体の領域が検出されない場合、前記モード選択手段は、前記第１の撮影モードよりも前記画像において目視されている位置の優先度が高い第２の撮影モードに切り替えることを特徴とする請求項１０に記載の光学機器。
【請求項１２】
前記特定の被写体の領域よりも前記画像において目視されている位置の優先度が高い第３の撮影モードにおいて、前記第２の検出手段によって前記画像において目視されている位置が検出されない場合、前記モード選択手段は、前記第３の撮影モードよりも前記特定の被写体の領域の優先度が高い第４の撮影モードに切り替えることを特徴とする請求項１０又は１１に記載の光学機器。
【請求項１３】
光学機器の制御方法であって、
画像から特定の被写体の領域を検出する第１の検出ステップと、
撮影者の眼をモニターして前記画像において目視されている位置を検出する第２の検出ステップと、
複数の撮影モードから撮影モードを選択するモード選択ステップと、
前記特定の被写体の領域および前記画像において目視されている位置の優先度に応じて、複数の焦点検出領域から焦点検出領域を選択する領域選択ステップと、有し、
前記特定の被写体の領域および前記画像において目視されている位置の優先度は、前記モード選択ステップで選択された前記撮影モードに応じて異なることを特徴とする制御方法。
【請求項１４】
光学機器で用いられる制御プログラムであって、
前記光学機器が備えるコンピュータに、
画像から特定の被写体の領域を検出する第１の検出ステップと、
撮影者の眼をモニターして前記画像おいて目視されている位置を検出する第２の検出ステップと、
複数の撮影モードから撮影モードを選択するモード選択ステップと、
前記特定の被写体の領域および前記画像において目視されている位置の優先度に応じて、複数の焦点検出領域から焦点検出領域を選択する領域選択ステップと、を実行させ、
前記特定の被写体の領域および前記画像において目視されている位置の優先度は、前記モード選択ステップで選択された前記撮影モードに応じて異なることを特徴とする制御プログラム。